(57)【特許請求の範囲】
【請求項１】
第１軸と、該第１軸に対して偏心体を介して偏心揺動回転する外歯歯車と、該外歯歯車と内接噛合する内歯歯車と、前記外歯歯車の各々に形成される内ピン孔に遊嵌する内ピンを有して前記外歯歯車の自転成分と同期可能な第２軸と、を備える揺動内接噛合遊星歯車機構において、
同じ加工機械を用いて加工された複数枚の前記外歯歯車を前記第１軸に対して同一方向に偏心させることで外歯歯車群を構成し、
該外歯歯車群における前記外歯歯車を、前記同じ加工機械を用いて加工したときの状態を基準として各外歯歯車の自転方向位相を互いにずらした状態で前記内歯歯車に組み込むようにした
ことを特徴とする揺動内接噛合遊星歯車機構。
【請求項２】
請求項１において、
前記外歯歯車群における前記外歯歯車が少なくともＮ枚用意された際に、該外歯歯車群の歯数がＮの倍数に設定され、且つ、前記少なくともＮ枚の外歯歯車が、前記自転方向位相が互いに３６０／Ｎ（度）ずれた状態で前記内歯歯車に組み込まれている
ことを特徴とする揺動内接噛合遊星歯車機構。
【請求項３】
請求項１又は２において、
前記外歯歯車群における全ての前記外歯歯車が、共通の前記偏心体に対して組み込まれると共に、共通の前記内歯歯車に内接噛合する
ことを特徴とする揺動内接噛合遊星歯車機構。
【請求項４】
請求項１、２又は３において、
前記外歯歯車群における前記外歯歯車が少なくとも３枚用意され、更に、該外歯歯車の歯すじ方向厚さをＷ、該外歯歯車のピッチ円直径をＤとした場合に、該外歯歯車がＷ／Ｄ≦０．０７に設定されている
ことを特徴とする揺動内接噛合遊星歯車機構。
【請求項５】
請求項１乃至４のいずれかにおいて、
前記外歯歯車群を少なくとも２つ構成することによって、第１外歯歯車群及び第２外歯歯車群を用意し、
該第１及び第２外歯歯車群を離反する方向に偏心させた状態で前記内歯歯車に組み込むようにした
ことを特徴とする揺動内接噛合遊星歯車機構。
【請求項６】
第１軸と、該第１軸に対して偏心体を介して偏心揺動回転する外歯歯車と、該外歯歯車と内接噛合する内歯歯車と、前記外歯歯車の各々に形成される内ピン孔に遊嵌する内ピンを有して前記外歯歯車の自転成分と同期可能な第２軸と、を備える揺動内接噛合遊星歯車機構における角度伝達誤差の低減方法において、
同じ加工機械を用いて複数枚の前記外歯歯車を加工すると共に、該複数枚の外歯歯車を前記第１軸に対して同一方向に偏心させることで外歯歯車群を構成し、
該外歯歯車群における前記外歯歯車を、前記同じ加工機械を用いて加工したときの状態を基準として各外歯歯車の自転方向位相を互いにずらした状態で前記内歯歯車に組み込む
ことを特徴とする揺動内接噛合遊星歯車機構の角度伝達誤差の低減方法。
【発明の詳細な説明】
【０００１】
【発明の属する技術分野】
本発明は、外歯歯車が組み込まれた揺動内接噛合遊星歯車機構に関するものであり、特に、回転動力を伝達する際の角度伝達誤差（角速度の変動）等を低減させる技術に関する。
【０００２】
【従来の技術】
従来、第１軸と、該第１軸に設けた偏心体を介してこの第１軸に対して偏心回転可能な状態で取付けられた外歯歯車と、該外歯歯車が内接噛合する内歯歯車と、外歯歯車に該外歯歯車の自転成分のみを伝達する手段を介して連結された第２軸と、を備えた揺動内接噛合遊星歯車機構が広く知られている。
【０００３】
２枚の外歯歯車を採用した従来例を図５及び図６に示す。この従来例は、前記第１軸１を入力軸、第２軸２を出力軸とすると共に、内歯歯車１０を固定することによって上記機構を「減速機」に適用したものである。
【０００４】
入力軸１には所定位相差（この例では１８０°）をもって偏心体３ａ、３ｂが嵌合されている。なお、偏心体３ａと３ｂは一体化されている。それぞれの偏心体３ａ、３ｂには軸受４ａ、４ｂを介して外歯歯車５ａ、５ｂが取付けられている。この外歯歯車５ａ、５ｂには内ローラ孔６ａ、６ｂが複数個設けられ、この内ローラ孔６ａ、６ｂに対して内ピン７及び内ローラ８が嵌合されている。
【０００５】
前記外歯歯車５ａ、５ｂの外周にはトロコイド歯形等の外歯９が設けられている。この外歯９はケーシング１２に固定された内歯歯車１０と内接噛合している。具体的に説明すると、内歯歯車１０の内歯は、具体的には外ピン１１がピン溝１３に遊嵌されて回転し易く保持された構造である。
【０００６】
前記外歯歯車５ａ、５ｂを貫通する内ピン７は、出力軸２に固着又は嵌入されている。
【０００７】
入力軸１が１回転すると偏心体３ａ、３ｂが１回転する。この偏心体３ａ、３ｂの１回転により、外歯歯車５ａ、５ｂも入力軸１の周りで揺動回転を行おうとするが、内歯歯車１０によってその自転が拘束されるため、外歯歯車５ａ、５ｂは、この内歯歯車１０に内接しながらほとんど揺動のみを行うことになる。
【０００８】
今、例えば外歯歯車５ａ、５ｂの歯数をＮ、内歯歯車１０の歯数をＮ＋１とした場合、その歯数差は１である。そのため、入力軸１の１回転毎に外歯歯車５ａ、５ｂはケーシング１２に固定された内歯歯車１０に対して１歯分だけずれる（自転する）ことになる。これは入力軸１の１回転が外歯歯車の−１／Ｎの回転に減速されたことを意味する。
【０００９】
この外歯歯車５ａ、５ｂの回転は内ローラ孔６ａ、６ｂ及び内ローラ８の隙間によってその揺動成分が吸収され、自転成分のみが内ローラ８及び内ピン７を介して出力軸２へと伝達される。
【００１０】
ここにおいて、内ローラ孔６ａ、６ｂ及び内ピン７（内ローラ８）は「等速度内歯車機構」を形成している。
【００１１】
この結果、減速比−１／Ｎの減速が達成される。なお、この減速比を一般的に表現すると、減速比Ｉ＝−（内歯の歯数−外歯の歯数）／（外歯の歯数）となる。
【００１２】
なお、この従来例では、揺動内接噛合遊星歯車機構の内歯歯車１０を固定し、第１軸１を入力軸、第２軸２を出力軸としていたが、第２軸２を固定し、第１軸１を入力軸、内歯歯車１０を出力軸とすることによっても減速機を構成可能である。更に、これらの入出力を逆転させることにより、増速機を構成することも可能である。
【００１３】
なお、特開昭６０−２６０７３７号公報、あるいは米国特許３１２９６１１号等には平行軸歯車によって第１段の減速を行った後に、複数の偏心体軸を介して外歯歯車を揺動回転させるタイプの揺動内接噛合遊星歯車機構が提案されているが、入力軸の回転が複数本の偏心体軸に等しく減速分配されることを除いては、既に図５及び図６で説明した揺動内接噛合遊星歯車機構と殆ど同じ構造となっている。
【００１４】
【発明が解決しようとする課題】
一般に、インボリュート系歯形は、噛み合う歯車の中心間距離に誤差があっても（該中心間距離が固定されている限り）入力・出力回転速度比は設定値からずれることはないが、トロコイド歯形系、あるいはサイクロイド系歯形においては、中心間距離に誤差があると速度比が設定値から周期的にずれてしまうのが大きな特徴の１つとされている（例えば日刊工業新聞社、仙波正荘著、「歯車」第１巻１７頁）。
【００１５】
揺動内接噛合遊星歯車機構においては、上述したように、その外歯歯車５ａ、５ｂがトロコイド系歯形で構成されている。従って、内歯歯車１０及び外歯歯車５ａ、５ｂのピッチ円中心間の距離に設計値に対する誤差があると、運転によってこの誤差が１回転毎に変動することにより、角度伝達誤差（入力回転角と出力回転角の理論値からのずれ）が周期的に現れ、これが回転方向の加振力の一因となるという問題があった。
【００１６】
以上のことは、１枚の外歯歯車が内歯歯車と噛合する際に生じるものであるが、特に、本従来例のように「歯数差＝１」の条件で２枚の外歯歯車５ａ、５ｂを採用すると、図７に示されるように、外歯歯車５ａの角度伝達誤差Ａと外歯歯車５ｂの角度伝達誤差Ｂが重畳され、大きな角度伝達誤差Ｃ（＝Ａ＋Ｂ）となって現れるという問題があった。
【００１７】
この問題に関連するものとして特開平６−２４１２８３号公報で提案されている技術が存在する。これは、歯数差が「１」であるという従来の一般的な考え方を覆し、「歯数差を外歯歯車の枚数の整数倍」としたものである。外歯歯車が複数枚であることが本技術の前提なので、この提案では歯数差は常に２以上となっている。
【００１８】
例えば図８に示されるように、２枚の外歯歯車３０５ａ、３０５ｂで考えた場合、内歯歯車３１０と外歯歯車３０５ａ、３０５ｂとの歯数差が「２」の整数倍、即ち偶数に設定され、そもそも内歯３１１の歯数は偶数であることから、外歯歯車３０５ａ、３０５ｂの各々の歯数も偶数に設定される。
【００１９】
この条件で２枚の外歯歯車３０５ａ、３０５ｂを重ねた状態で、それぞれの外歯３０９及び各外歯歯車を貫通する孔（例えば内ローラ孔）を加工すると共に、各外歯歯車３０５ａ、３０５ｂをそれぞれの偏心方向（１８０度反対方向）に単にずらして組み込むようにする。
【００２０】
このようにすると、２枚の外歯歯車３０５ａ、３０５ｂにおける同時に加工された外歯の噛合タイミングが１８０度がずれることになるので、各外歯歯車３０５ａ、３０５ｂの角度伝達誤差が打ち消し合うように作用し、全体として偏心体軸１回転当り１回の角度伝達誤差を低減できる。
【００２１】
しかしながら、この特開平６−２４１２８３号公報でも指摘されているように、この技術は従来一般的であった「歯数差＝１」という考えを覆した結果得られたものである。
【００２２】
従って、揺動内接噛合遊星歯車構造の減速比ＩはＩ＝−（歯数差）／（外歯の数）となることから、外歯歯車５ａ、５ｂの外歯の数を一定と考えた場合、歯数差を「２」にすると歯数差「１」の場合と比較して、得られる減速比が半減する（数値としては２倍となる）という問題があった。
【００２３】
更に、近年の各種機械設備の高精度化の要求に対しては、角度伝達誤差のより一層の低減が求められており、上記解決手法では必ずしも十分対応することができない状況が存在するという問題があった。
【００２４】
又、これらの従来例では高い伝達トルクを確保するために外歯歯車を２枚以上用意し、全体の動的バランスを保つために、各外歯歯車を異なる位相方向（ここでは１８０度の位相差）に偏心させた状態で内歯歯車に組み込んでいる。従って、高い伝達トルクが要求されない場合は１枚の外歯歯車で十分と考えられるが、上記角度伝達誤差を低減したい場合には、２枚の外歯歯車であって内歯歯車との歯数差が２となる上記の揺動内接噛合遊星歯車構造を敢えて採用しなければならず、設備コストの上昇に繋がっていた。
【００２５】
本発明は上記問題点に鑑みてなされたものであり、高い増減速比と角度伝達誤差の低減が両立されて、優れた伝達特性を有し、更に製造コストの低減をも可能とする揺動内接噛合遊星歯車機構を得ることを目的としている。
【００２６】
【課題を解決するための手段】
本発明は、第１軸と、該第１軸に対して偏心体を介して偏心揺動回転する外歯歯車と、該外歯歯車と内接噛合する内歯歯車と、前記外歯歯車の各々に形成される内ピン孔に遊嵌する内ピンを有して前記外歯歯車の自転成分と同期可能な第２軸と、を備える揺動内接噛合遊星歯車機構において、同じ加工機械を用いて加工された複数枚の前記外歯歯車を前記第１軸に対して同一方向に偏心させることで外歯歯車群を構成し、該外歯歯車群における前記外歯歯車を、前記同じ加工機械を用いて加工したときの状態を基準として各外歯歯車の自転方向位相を互いにずらした状態で前記内歯歯車に組み込むようにしたことによって上記目的を達成するものである。
【００２７】
本発明者は、複数の外歯歯車を異なる偏心方向に組み込むことで各々の角度伝達誤差を打ち消すという従来の発想を覆し、歯形誤差が略一致する複数の外歯歯車を「同一の」偏心方向に組み込むことで外歯歯車群を構成することに着目した。そして、複数の外歯歯車の自転方向の位相を互いにずらすことによって、同一群の中で互いの角度伝達誤差を打ち消すようにした。
【００２８】
つまり、複数の外歯歯車をまとめて考えれば、外歯歯車群として動力伝達に関して１つの外歯歯車の機能を発揮していることになるが、その中の各外歯歯車は、角度伝達誤差を低減するという機能を有していることになる。
【００２９】
この結果、内歯歯車と外歯歯車との歯数差等に基本的に制約されることなく、更に各外歯歯車の偏心方向をずらすことを考慮することなく、高精度な回転速度制御及び回転位相制御等が外歯歯車群によって自己完結的に達成可能となる。
【００３０】
角度伝達誤差をより小さく抑えるには、外歯歯車群における複数の外歯歯車の間で角度伝達誤差を効率良く打ち消すことが要求される。従って上記発明では、前記外歯歯車群における前記外歯歯車が少なくともＮ枚用意された際に、該外歯歯車群の歯数がＮの倍数に設定され、且つ、前記少なくともＮ枚の外歯歯車が、前記自転方向位相が互いに３６０／Ｎ（度）ずれた状態で前記内歯歯車に組み込まれることが好ましい。このようにすると、互いの位相差が均等間隔に配分されるので、各外歯歯車の角度伝達誤差が均等に分散されて効率良く打ち消し合う。
【００３１】
ところで角度伝達誤差は外歯歯車の形状誤差のみで決定されるものではなく、これと噛合する内歯歯車の形状誤差、外歯歯車の中心に挿入される偏心体の形状誤差等も含めて考慮される。とはいうものの、例えば、内歯枠の内周面に外ピンが設置されることで内歯を構成するような外ピンタイプの内歯歯車や、一般的には円柱（軸）形状となる偏心体等は、各々を独立して形成したとしても形状誤差が小さい。従って、角度伝達誤差の「大部分は」外歯歯車の形状に依存していると考えることが出来る。
【００３２】
しかし、より一層の角度伝達誤差を低減するには、上記内歯歯車及び偏心体の形状誤差の影響を除外することが好ましく、上記外歯歯車群における全ての前記外歯歯車が、共通の前記偏心体に対して組み込まれると共に、共通の前記内歯歯車に内接噛合することが好ましい。このようにすると、複数の外歯歯車間における角度伝達誤差が「略完全に」外歯歯車の形状誤差に依存することになるため、上記発明を適用すれば極めて効果的に互いの角度伝達誤差を打ち消すようになる。
【００３３】
特に好ましくは、前記外歯歯車群における前記外歯歯車が少なくとも３枚用意され、更に、該外歯歯車の歯すじ方向厚さをＷ、該外歯歯車のピッチ円直径をＤとした場合に、該外歯歯車がＷ／Ｄ≦０．０７に設定されるようにする。
【００３４】
上記発明では、複数の外歯歯車を同じ方向に偏心させた状態で組み込み、動力伝達に関しては外歯歯車群を従来の１枚の外歯歯車と全く同じように機能させるので、一見無駄（冗長）な構成と理解される可能性があるが、実際はそうではない。即ち、上記発明のように複数の外歯歯車のそれぞれの厚さを従来よりも薄くして、それらが一体となる外歯歯車群が従来の外歯歯車の１枚分程度の能力を発揮できるようにすることも可能であり、軸方向に機構全体が大型化することが防止され、更に、比較的薄い素材を用いて各外歯歯車をポンチ加工等によって容易に製造することが可能になる。つまり、動力伝達能力に関しては外歯歯車の枚数によって必要な分だけ確保し、一方で角度伝達誤差は大幅に低減され、更に製造コストも低減可能になるという極めて合理的な構造である。
【００３５】
なお、前記外歯歯車群における前記外歯歯車の側面が、隣接する該外歯歯車の側面に当接されている事が好ましい。このようにすると、各外歯歯車の軸方向のぶれや振動が互いの接触により規制されるので、内部構造をより簡潔にすることが出来る。
【００３６】
上記発明において外歯歯車の加工機械は特に限定されないが、好ましくはプレス加工機械又は切削加工機械のいずれかを用いる。高精度且つ低コストを実現するには上記プレス加工が最も望ましい。なお、プレス加工の場合は複数枚の歯車素材をまとめて打ち抜くようにしても良いが、外歯歯車の歯形はポンチの形状に依存して常に一定であるので、又各素材を別々に打ち抜いて上記複数枚の外歯歯車を製造しても構わない。一方、切削加工機械の場合は、各切削工程によって多少のずれが発生するため、複数枚分の歯車用素材をまとめた状態で同時加工することが好ましい。
【００３７】
なお、これらの複数の外歯歯車を加工する際には、上記内ピンが挿入される内ピン孔（これは、内ピンに内ローラが被覆されている場合には内ローラ孔とも呼ばれる）、及び偏心体が挿入される偏心体孔も同様に加工しておくことが好ましい。
【００３８】
以上の発明の揺動内接噛合遊星歯車機構は、１つの外歯歯車群を有する場合に限定されない。例えば前記外歯歯車群を少なくとも２つ構成することによって第１外歯歯車群及び第２外歯歯車群を用意し、該第１及び第２外歯歯車群を離反する方向に偏心させた状態で前記内歯歯車に組み込むようにしてもよい。又、全てが外歯歯車群で構成されている必要はなく、一部においては従来の単体の外歯歯車が単独で組み込まれている場合も本発明は含んでいる。
【００３９】
【発明の実施の形態】
以下図面を参照しながら本発明の実施の形態の例について詳細に説明する。
【００４０】
図１に、本発明の第１実施形態に係る揺動内接噛合遊星歯車機構が採用された減速装置１００を示す。なお、ここでは、第１軸を入力軸、第２軸を出力軸とすると共に、内歯歯車を固定することによって揺動内接噛合遊星歯車機構を「減速機構」として適用したものである。
【００４１】
減速装置１００は、第１軸である入力軸１０１と、この入力軸１０１に対して偏心体１０３ａ、１０３ｂを介し互いに３６０／２（度）の位相差を有して偏心揺動回転する第１外歯車グループ（群）１０５ａ及び第２外歯歯車グループ（群）１０５ｂと、第１及び第２外歯歯車グループ１０５ａ、１０５ｂのそれぞれと内接噛合する内歯歯車１１０と、各外歯歯車グループ１０５ａ、１０５ｂの自転成分と同期可能な第２軸である出力軸１０２と、を備える。詳細は後述するが、各外歯歯車グループ１０５ａ、１０５ｂは、複数の外歯歯車Ａ１、Ａ２、Ａ３が積層されることで構成されている。
【００４２】
偏心体１０３ａ、１０３ｂは、入力軸１０１に所定位相差（この例では１８０°）をもって一体的に設けられている。それぞれの偏心体１０３ａ、１０３ｂは軸受１０４ａ、１０４ｂを介して、第１及び第２外歯歯車グループ１０５ａ、１０５ｂの共通偏心体孔１１３ａ、１１３ｂに挿入され、その結果、第１及び第２外歯歯車グループ１０５ａ、１０５ｂが偏心体１０３ａ、１０３ｂに対して回転自在となっている。
【００４３】
第１及び第２外歯歯車グループ１０５ａ、１０５ｂの各々には共通内ローラ孔（内ピン孔）１０６ａ、１０６ｂが形成されており、この双方に対して、出力軸１０２に設けられる内ピン１０７及び内ローラ１０８が接触状態でまとめて遊嵌している。この内ピン１０７及び内ローラ１０８が介在することで、外歯歯車グループ１０５ａ、１０５ｂの自転と出力軸１０２の回転とが同期している。なお、内ピン１０７の一端は、出力軸１０２に固着又は嵌入され、他端はリング状のフランジ部材１１６に保持されている。
【００４４】
出力軸１０２とフランジ部材１１６とは、内ピン１０７に加えて、キャリアピン１３２によって連結されている。このキャリアピン１３２は、第１及び第２外歯歯車グループ１０５ａ、１０５ｂに形成される共通キャリアピン孔１３４ａ、１３４ｂを非接触状態で遊嵌している。従って、キャリアピン１３２は各外歯歯車グループ１０５ａ、１０５ｂと出力軸１０２の回転を同期させる役目ではなく、フランジ部材１１６と出力軸１０２を強固に連結する機能を果たしている。
【００４５】
第１及び第２外歯歯車グループ１０５ａ、１０５ｂの外周にはトロコイド歯形等の外歯１０９が形成されており、この外歯１０９が内歯歯車１１０と内接噛合している。
【００４６】
具体的に内歯歯車１１０は、円筒状の共通内歯枠１２０と、この共通内歯枠１２０の内周面に形成されるピン溝１２２と、このピン溝１２２に遊嵌状態で設置される外ピン１１１と、を備えており、この外ピン１１１が回転し易く保持されている。又、共通内歯枠１２０は特に図示しない外部部材に固定されるようになっている。
【００４７】
入力軸１０１が１回転すると偏心体１０３ａ、１０３ｂが１回転する。この偏心体１０３ａ、１０３ｂの１回転により、外歯歯車グループ１０５ａ、１０５ｂが入力軸１０１の周りで揺動回転を行おうとするが、内歯歯車１１０によってその自転が拘束されるため、外歯歯車グループ１０５ａ、１０５ｂは、この内歯歯車に内接しながら微小な自転を含んだ揺動を行うことになる。この微少な自転が、内ピン１０７を介して出力軸１０２に伝達されることにより、所望の減速を得ることができる。
【００４８】
次に、外歯歯車グループ１０５ａ、１０５ｂ等について詳細に説明する。なお、第１外歯歯車グループ１０５ａと第２外歯歯車グループ１０５ａは同じ構造であるので、ここでは第１外歯歯車グループ１０５ａについてのみ説明する。
【００４９】
第１外歯歯車グループ１０５ａは、３枚の外歯歯車Ａ１、Ａ２、Ａ３から構成されている。３枚の外歯歯車Ａ１、Ａ２、Ａ３は、歯車用素材を同じ加工機械を用いて加工することで製造されており、具体的にはプレス機械（図示略）による打ち抜き加工によって製造される。打ち抜き加工を可能にした理由は、外歯歯車Ａ１、Ａ２、Ａ３の歯すじ方向厚さＷとピッチ円直径Ｄとの関係をＷ／Ｄ≦０．０７の関係に設定したことにある。
【００５０】
この３枚の外歯歯車Ａ１、Ａ２、Ａ３は上記自転方向の位相を互いにずらした状態で組み合わされることで第１外歯歯車グループ１０５ａが構成される。なお、ここでいう位相とはプレス加工時の状態を基準としており、３枚の外歯歯車Ａ１、Ａ２、Ａ３で同じポンチを用いていることから、位相が一致した状態ならば各外歯歯車Ａ１、Ａ２、Ａ３の形状が略一致する。つまり、この第１外歯歯車グループ１０５ａでは敢えて互いの形状をずらしていることになる。
【００５１】
詳細に説明すると外歯歯車Ａ１、Ａ２、Ａ３の歯数は３の倍数（ここでは７８）に設定され、これらの外歯歯車Ａ１、Ａ２、Ａ３が１２０度（３６０／３度）の位相差で積層される。即ち、外歯歯車Ａ１に対して外歯歯車Ａ２が１２０度の位相差で積層され、この外歯歯車Ａ２に対して外歯歯車Ａ３が更に１２０度の位相差で積層されている。外歯歯車群１０５ａの中において位相をずらして組み合わせる外歯歯車の枚数（ここではＡ１、Ａ２、Ａ３の３枚全て）の倍数に歯数を設定しておけば、積層した際に外歯が互いに一致する。
【００５２】
更に外歯歯車Ａ１、Ａ２、Ａ３は、内ローラ孔Ｒ、キャリアピン孔Ｋ及び偏心体孔Ｈが形成されている。これらも上記プレス加工の際に同時に形成されるものであり、偏心体孔Ｈは外歯歯車Ａ１、Ａ２、Ａ３の中心に形成され、これらが重ね合わされた状態で共通偏心体孔１１３ａが構成される（図１参照）。
【００５３】
形成される内ローラ孔Ｒの個数は、各外歯歯車Ａ１、Ａ２、Ａ３において、外歯歯車群１０５ａの中で位相をずらして組み合わせる外歯歯車の枚数（ここでは３枚）の倍数に相当する量が形成される。ここでは計９個形成されている。この９個の内ローラ孔Ｒを３つのグループＲ１，Ｒ２，Ｒ３として捉えた場合、これらは上記１２０（＝３６０／３）度の位相差で周方向に等間隔で形成されている。このようにすると、３枚の外歯歯車Ａ１、Ａ２、Ａ３を上記位相差（１２０度）で積層した場合に、各内ローラ孔Ｒが互いに完全に一致することになり、一致した状態で共通内ローラ孔１０６ａが構成される（図１参照）。
【００５４】
同様にキャリアピン孔Ｋも、各外歯歯車Ａ１、Ａ２、Ａ３において、外歯歯車群１０５ａの中で位相をずらして組み合わせる外歯歯車の枚数（ここでは３枚）の倍数に相当する量が形成される。ここでは３個のキャリアピン孔Ｋが上記１２０（＝３６０／３）度の位相差で周方向に等間隔で形成されている。このようにすると、３枚の外歯歯車Ａ１、Ａ２、Ａ３を上記位相差（１２０度）で積層した場合に、各内キャリアピン孔Ｋが互いに一致し、その状態で共通キャリアピン孔１３４ａが構成される（図１参照）。なお、本実施形態ではキャリアピン孔Ｋが上記内ローラ孔Ｒよりも大きい場合を示したが、例えば図３に示されるように、キャリアピン孔Ｋと内ローラ孔Ｒを同じ大きさにして、これらを同ピッチ円上に設けても構わない。
【００５５】
又本実施形態ではフランジ部材１１６を利用することで内ピン１０７が両持ち保持されるようにしているが、本発明はそれに限定されず出力軸１０２に片持ち保持されていても良い。その場合はフランジ部材１１６、上記キャリアピン孔Ｋ及びキャリアピン１３２が不要になる。
【００５６】
以上のようにして第１外歯歯車グループ１０５ａが構成されるが、これと全く同様にして第２外歯歯車グループ１０５ｂが構成される。この点では、事前に計６枚の外歯歯車を打ち抜き加工によって製造しても構わない。
【００５７】
更に、ここでは外歯歯車Ａ１、Ａ２、Ａ３の歯数が、３の倍数であると共に２の倍数となるように設定されている。これは、既に従来例で示したように、第１外歯歯車グループ１５０ａと第２外歯歯車グループ１５０ｂとを、１８０度反対方向（離反方向）にスライドさせて内歯歯車１１０に組み込むことを想定しているからである。つまり、従来例で示した「スライド組み込みによる角度伝達誤差の低減」の効果も併せて得ることを想定している。この結果、各外歯歯車Ａ１、Ａ２、Ａ３と内歯歯車１１０との歯数差が「２」であることが要求されるので、内歯歯車１１０の歯数は８０（＝７８＋２）に設定され、減速比Ｉは、Ｉ＝２／７８＝１／３９となる。
【００５８】
なお、第１外歯歯車グループ１０５ａについて着目すると、３枚の外歯歯車Ａ１、Ａ２、Ａ３が、共通の偏心体１０３ａ及び共通の内歯歯車１１０に対して組み込まれていることになる。更に、３枚の外歯歯車Ａ１、Ａ２、Ａ３のそれぞれが、隣接する外歯歯車Ａ１、Ａ２、Ａ３の側面に自身の側面を当接させた状態で組み込まれていることになる。
【００５９】
しかし、ここでは各外歯歯車Ａ１、Ａ２、Ａ３を互いに固定していない。互いに固定してしまうと、その固定による組み合わせ誤差が発生して新たな角度伝達誤差を生み出す要因になるからである。つまり、全体としては外歯歯車グループ１０５ａとして１つの動力伝達機能を発揮するが、それは、各外歯歯車Ａ１、Ａ２、Ａ３が独立して機能した結果であるといえる。
【００６０】
図１に戻って第１及び第２外歯歯車グループ１０５ａ、１０５ｂは、減速装置１００に組み込まれた状態で、出力軸１０２の端面１０２ａと、フランジ部材１１６の端面１１６ａと、中間に挿入されるリング部材１３０によって軸方向の移動が規制される。この結果、各外歯歯車Ａ１、Ａ２、Ａ３の偏心体１０３ａ、１０３ｂからの離脱が防止されている。
【００６１】
次に、本減速装置１００における第１及び第２外歯歯車グループ１０５ａ、１０５ｂの作用について説明する。
【００６２】
図４に示されるように、外歯歯車Ａ１、Ａ２、Ａ３のそれぞれについては、動力伝達時に角度伝達誤差ａ１、ａ２、ａ３が発生する。これは既に述べたように、この種の揺動内接噛合遊星歯車機構に採用されるトロコイド歯形等のサイクロイド系歯形は中心間距離に誤差があると、速度比が周期的にずれるからである。
【００６３】
そこで本第１及び第２外歯歯車グループ１０５ａ、１０５ｂでは、それぞれ３枚の外歯歯車Ａ１、Ａ２、Ａ３を同一の偏心方向に組み込んだ上で、自転方向の位相を互いにずらして組み合わせている。この結果、上記角度伝達誤差ａ１、ａ２、ａ３が等間隔位相差で発生することになり、同一グループ１０５ａ、１０５ｂの中で互いの角度伝達誤差ａ１、ａ２、ａ３を打ち消すことができる。しかも、各外歯歯車グループ１０５ａ、１０５ｂは、全体として１枚の外歯歯車のように機能するので、十分な動力伝達機能を発揮することができる。
【００６４】
更に、各外歯歯車グループ１０５ａ、１０５ｂの中で自己完結された状態で、上記の角度伝達誤差を低減することができるので、内歯歯車１１０と外歯歯車Ａ１、Ａ２、Ａ３との歯数差が一般的に制約されない。
【００６５】
又例えば第１外歯歯車グループ１０５ａについて考えてみると、共通の（１の）内歯歯車１１０と共通の（１の）偏心体１０３ａに組み込まれているので、複数の外歯歯車Ａ１、Ａ２、Ａ３間における角度伝達誤差が完全に各外歯歯車Ａ１、Ａ２、Ａ３の形状誤差に依存し、上記のように等間隔の位相差（１２０度）で組み合わせれば、極めて効果的に互いの角度伝達誤差ａ１、ａ２、ａ３を打ち消し合うようになる。
【００６６】
又本外歯歯車グループ１０５ａ、１０５ｂにおいては、各外歯歯車Ａ１、Ａ２、Ａ３の厚さを従来よりも薄くして、それらが一体となって従来の外歯歯車の１枚分程度の能力を発揮できるようにしている。従って、軸方向に機構全体が大型化することが防止されている上に、その枚数や厚みを適宜変更すれば、伝達能力を柔軟に変更することが出来る。又比較的薄い素材を用いていることから、各外歯歯車Ａ１、Ａ２、Ａ３をポンチ加工等によって容易に製造することで、製造コストを大幅に低減することが可能になる。
【００６７】
ところで、本実施形態では、２つの外歯歯車グループを有してこれらを離反させて内歯歯車に組込み、各外歯歯車グループの外歯歯車が３枚、更に、内歯歯車１１０と外歯歯車Ａ１、Ａ２、Ａ３との歯数差が「２」となる場合を便宜的に示した。
【００６８】
この状況をまとめると、外歯歯車の歯数、内ローラ孔Ｒの個数、は下記のようになる。
【００６９】
（１）位相を３６０／３度ずらして各外歯歯車を組み合わせることが出来る条件
外歯歯車の歯数：３の倍数
内ローラ孔Ｒの個数：３の倍数
（必要であれば）キャリアピン孔Ｋの個数：３の倍数
【００７０】
（２）２つの外歯歯車グループを離反させて内歯歯車に組み込む条件
外歯歯車の歯数：２の倍数
【００７１】
従って、（１）（２）の条件の併せた結果、下記のようになる。
【００７２】
外歯歯車の歯数：６の倍数
内ローラ孔Ｒの個数：３の倍数
（必要であれば）キャリアピン孔Ｋの個数：３の倍数
【００７３】
各グループ内で位相をずらして積層する外歯歯車の枚数をＮとすれば下記の一般条件が得られる。
【００７４】
外歯歯車の歯数：２＊Ｎの倍数
内ローラ孔Ｒの個数：Ｎの倍数
（必要であれば）キャリアピン孔Ｋの個数：Ｎの倍数
【００７５】
又本実施形態では２枚歯数差の場合に限って示したが、本発明は各内歯歯車グループで完結的に角度伝達誤差を低減できることに特徴であるので、従来誤差低減が困難とされていた外歯歯車が２枚（ここでは外歯歯車グループが２つ）、且つ内歯歯車と外歯歯車の歯数差が「１」の揺動内接噛合遊星歯車機構にも適用可能である。その場合は、外歯歯車の歯数を奇数とし、一方の外歯歯車グループを、他方の外歯歯車グループに対して１８０度回転させた状態で離反方向に偏心させて組み込むようにするので、下記の条件を満たすことが好ましい。
【００７６】
（１）各グループにおいて位相をずらして組み込む外歯歯車の枚数をＮとした際、位相を３６０／Ｎ度ずらして積層させることが出来る条件
外歯歯車の歯数：Ｎの倍数
内ローラ孔Ｒの個数：Ｎの倍数
（必要であれば）キャリアピン孔Ｋの個数：Ｎの倍数
【００７７】
（２）一方の外歯歯車グループを他方の外歯歯車グループに対して１８０度回転させても、互いの共通内ローラ孔が一致し、離反方向に偏心させて内歯歯車に組み込むことができる条件
外歯歯車の歯数：奇数＝（２ｎ＋１）、ｎ（自然数）
内ローラ孔Ｒの個数：偶数
（必要であれば）キャリアピン孔Ｋの個数：偶数
【００７８】
従って、（１）（２）の条件の併せた条件は下記のようになる。
【００７９】
外歯歯車の歯数：Ｎ＊（２ｎ＋１）、ｎ（自然数）
内ローラ孔Ｒの個数：２＊Ｎの倍数
（必要であれば）キャリアピン孔Ｋの個数：２＊Ｎの倍数
【００８０】
このように歯数差「１」を採用すると、外歯歯車の歯数が同一の条件では、本実施形態で示した歯数差２の場合よりも減速比を２倍に高めることが可能になる。逆に言うと、２枚歯数差の場合と同一減速比を得ようとすれば、外歯歯車の歯数を２分の１に設定可能となり、より減速装置をコンパクトに構成可能となる。
【００８１】
なお、本発明は、揺動内接噛合遊星歯車機構が２つの外歯歯車グループを有する場合に限定されず、１つでもよく、又３つ以上でも構わない。又本発明の外歯歯車グループと、従来の（単体の）外歯歯車を組み合わせて用いるようにしても良い。
【００８２】
本実施形態では各外歯歯車グループにおいて、全ての外歯歯車を位相をずらして積層する場合に限って示したが、本発明はそれに限定されず、多数の外歯歯車における一部の（複数の）外歯歯車の位相をずらすようにしても良い。
【００８３】
更に本実施形態では、各外歯歯車グループにおける複数の外歯歯車が互いに接触している場を示したが、本発明はそれに限定されず、一定の間隔を空けて各外歯歯車が設けられており、それらが全体として外歯歯車グループとして機能する場合も含んでいる。更に、例えば第１外歯歯車グループの外歯歯車と、第２外歯歯車グループの外歯歯車とが、交互に配置されている場合も含んでいる。
【００８４】
又この実施形態では、内歯歯車が固定され、第１軸を入力軸、第２軸を出力軸としていたが、第２軸を固定し、第１軸を入力軸、内歯歯車を出力軸とすることによっても減速装置を構成可能である。更に、これらの入出力を逆転させることにより増速装置を構成することも可能である。
【００８５】
以上、ここでは第１及び第２実施形態を示したが、本発明の要旨を逸脱しない範囲であれば、これらの各部分等を適宜組み合わせた実施形態も存在し、更に、今回示した形態以外の各種実施形態も存在する。なお、明細書全文に表れてくる部材の形容（機能・形状）はあくまで例示であって、これらの記載に限定されるものではない。
【００８６】
【発明の効果】
本発明によれば、揺動内接噛合遊星歯車機構の特徴である高い減速比を維持した状態で、回転方向の振動（角度伝達誤差）を低減することが出来るようになる。
【図面の簡単な説明】
【図１】本発明の実施形態に係る揺動内接噛合遊星歯車機構が適用された減速装置を示す断面図
【図２】図１のII-II矢視断面図
【図３】同減速装置の他の例を示す断面図
【図４】同減速装置の角度伝達誤差を模式的に示す線図
【図５】従来の揺動内接噛合遊星歯車機構が採用された減速装置を示す断面図
【図６】図５のVI-VI断面図
【図７】同揺動内接噛合遊星歯車機構の角度伝達誤差を示す線図
【図８】歯数差「２」の揺動内接噛合遊星歯車機構の噛合状態を示す模式図
【符号の説明】
１００、２００…減速装置
１０１…第１軸
１０２…第２軸
１０５ａ…第１外歯歯車グループ
１０５ｂ…第２外歯歯車グループ
１０６…共通内ローラ孔
１０７…内ピン
１０８…内ローラ
１１０…内歯歯車
１１１…外ピン
１２０…共通内歯枠
１２２…ピン溝
【図１】
0004610108.tif 000002
【図２】
0004610108.tif 000003
【図３】
0004610108.tif 000004
【図４】
0004610108.tif 000005
【図５】
0004610108.tif 000006
【図６】
0004610108.tif 000007
【図７】
0004610108.tif 000008
【図８】
0004610108.tif 000009